(57)【要約】      （修正有）【課題】外気に露出して設置した路面や桁、柱等に降りかかる降雪等の付着を防ぐ着雪氷防止装置を提供する。【解決手段】防氷剤貯留タンク１１、防氷剤１１１、防氷剤加圧ポンプ１２、制御器１５を組み合わせた加圧防氷剤供給装置１と防氷剤噴霧ノズル２２を組み込んだ防氷剤散布装置２を供給管３１を収容した供給管等３で接続し、加圧防氷剤５を路面等４に散布して降雪等の路面等への付着を防止する。より的確に加圧防氷剤を散布するために防氷剤圧力調整器１３、膨張タンク１４、制御器、降雪センサー１５１、放射温度計１５２、防氷剤濃度センサー１５３を組み合わせた加圧防氷剤供給装置と電磁弁２１、制御器２３を組み込んだ防氷剤散布装置を供給管等で接続して自動運転するのが好ましい。【選択図】図３
0003220499.tif 000002
【実用新案登録請求の範囲】
【請求項１】
外気に曝されて設置した路面や桁、柱等に降りかかる雪や過冷却雨が当該部材に付着することを防ぐために加圧防氷剤供給装置と１個または複数個の防氷剤散布装置を供給管で接続した構造の着雪氷防止装置。
【請求項２】
降雪や路面温度の信号及び路面等の防氷剤濃度により、防氷剤を散布することができる請求項１の加圧防氷剤供給装置。
【請求項３】
車両や人など移動体を検知して防氷剤を散布制御できる請求項１の防氷剤散布装置
【考案の詳細な説明】
【技術分野】
【０００１】  本考案は、降雪地域において外気に露出して設置した路面や桁、柱等（以下、本考案では路面等と言う）に降りかかる雪や過冷却雨（以下、本考案では降雪等と言う）が路面等に付着し、結氷したり、積雪に発達すると路面の場合には氷盤に、桁や柱は氷柱に発達して維持管理に障害を与え、社会的に大きな影響を与えている。これらの影響を緩和するために、降雪等時に路面等の表面に防氷剤を散布して降雪等の付着を防ぐ機器の組み合わせに関するものである。
【背景技術】
【０００２】  気温が低い地域で降雪等が路面等に付着すると気温の変化により氷盤、積雪や氷柱に発達する。施設の管理者は氷盤や氷柱、積雪を防ぐために、人力や機械による除雪や防氷剤の散布、ヒーティング等により発達を阻止しているが、タイムリーな対応は困難で、多大な経費をかけている。【０００３】  降雪等が氷盤に発達すると路面は滑りやすくなり、車両の安全な走行は困難となり、交通機能が極端に低下し、地域経済に大きな影響を与え、車両事故も増加している。【０００４】  降雪等が氷柱に発達し、気温が上がると氷柱の付着力は耐えられなくなり自然に落下する。落下する氷柱は重く、角があるために、躰に当たると怪我をし、車両に当たると損傷を与えることもあり危険である。【０００５】  降雪等が発達して積雪が深くなると車両交通は困難になり、交通機能は低下し、地域経済に影響を与えている。【０００６】  施設管理者は、氷柱や落雪の原因をなくすために、多大な経費を投入し桁や柱などを加熱したり人力除雪を行っている。【０００７】  路面等の本体は熱容量が大きく、タイミング良く加熱したり、除雪する事は困難である。【０００８】  桁や柱などは構造上、着雪氷部分が高く、足場が不安定で種々の突起物が添加されており、加熱や人力除雪は更に困難である。
【先行技術】
【０００９】  本考案に使用する単体の器材（防氷剤、貯留タンク、加圧ポンプ、圧力調整器、膨張タンク、電磁弁、噴霧ノズル、降雪センサー、放射温度計、防氷剤濃度センサー、車両センサー、制御器、防氷剤供給管、信号線等）は、全て汎用性のある一般市販品である。
【００１０】  防氷剤は、水の凍結を防止し、氷を融かす能力のある液状または固体の材料である。凍結を防止するだけの凍結防止剤では氷を融かす事が出来ないし、氷を融かすだけでは凍結を防止できない。
【００１１】  貯留タンクは、防氷剤をためておく一般的な容器。加圧ポンプは、散布装置に加圧防氷剤を供給するポンプ。
【００１２】  圧力調整器は、ポンプの吐出圧力を一定にするための調整器。膨張タンクは、ポンプを効率的に運転するために防氷剤を一定圧で貯留しておく貯留槽。
【００１３】  電磁弁は、噴霧ノズルに防氷剤を供給する電動のバルブ。噴霧ノズルは、加圧防氷剤を路面等に散布する部材。
【００１４】  降雪センサーは、降雪や降水を検知するセンサー。放射温度計は、路面等の表面温度を測定する温度計。防氷剤濃度センサーは、路面等に付着している防氷剤の電気伝導度を測定する測定器。車両センサーは、散布装置に接近する通行移動体を検知するセンサー。何れのセンサーも一般的に使用されているセンサーである。
【００１５】  制御器は、センサーの信号とタイマー機能を使用して、最適に加圧防氷剤を散布するための一般的なシーケンサーである。
【００１６】  防氷剤供給管等は、供給管と電線を収容したもので、供給管は加圧防氷剤を防氷剤散布装置に供給する一般的な鋼管や樹脂管である。電線は防氷剤散布装置の電磁弁を開閉する信号線である。
【考案の概要】
【考案が解決しようとする課題】
【００１７】  低温時に路面等に降雪等があり、気温が低く温度変化が少ないと路面等に付着した降雪等は氷盤や積雪に発達し、路面の場合には交通の障害となり、桁や柱では雪の塊となって落下する。特に気温や放射熱による温度変化があると路面の氷盤は滑りやすくなり、桁や柱の着雪氷は氷柱に発達して落下し、人体や車両に大きな損傷を与えることがある。【００１８】  施設管理者は損傷を回避するために、多大な経費を使用して路面等を加熱したり、人力除雪や注意喚起を行っているが、これらを的確に行う事は非常に困難である。
【課題を解決するための手段】
【００１９】  以上の問題を解決するために、加圧防氷剤供給装置１と防氷剤散布装置２を供給管等３で接続した着雪氷防止装置により加圧防氷剤５を路面等４に散布して降雪等の路面等４への付着を防止している。【００２０】  第一考案は、先行技術器材の防氷剤貯留タンク１１、防氷剤１１１、防氷剤加圧ポンプ１２、制御器１５を組み合わせた加圧防氷剤供給装置１と防氷剤噴霧ノズル２２を組み込んだ防氷剤散布装置２を供給管３１を収容した供給管等３で接続した着雪氷防止装置を降雪等を認識した場合に人力で運転する着雪氷防止装置である。【００２１】  第二考案は、より的確に加圧防氷剤５を散布するために第一考案に先行技術器材の防氷剤圧力調整器１３、膨張タンク１４、制御器１５、降雪センサー１５１、放射温度計１５２、防氷剤濃度センサー１５３を組み合わせた加圧防氷剤供給装置１と電磁弁２１、制御器２３を組み込んだ防氷剤散布装置２を供給管等３で接続した自動運転の着雪氷防止装置である。【００２２】  第三考案は、通行への影響を緩和するために、第二考案に先行技術器材の車両センサー２３１を付加した着雪氷防止装置である。
【考案の効果】
【００２３】  加圧防氷剤供給装置１と１〜数個の防氷剤散布装置２を路面等４の表面から０．５ｍ以内に設置し供給管等３で接続した着雪氷防止装置を降雪等を感知した時に手動または自動で加圧防氷剤５を路面等４に防氷剤噴霧ノズル２２から散布する。散布された防氷剤１１１は、路面の場合には通行車両により１００ｍ程度拡散され、柱や桁の場合には表面を流失し降雪等が路面等へ付着するのを防止している。【００２４】  路面等４に拡散された防氷剤１１１は、電解液なので氷の結晶を破壊して融氷し、希薄電解液となり、路面等４に薄い電解液層を形成するので降雪等は路面等４に付着しない。防氷剤１１１は分子構造から有機系のギ酸塩が効果的である。【００２５】  着雪氷防止装置は路面等４に散布された防氷剤濃度を測定しており、防氷剤１１１は適正に散布されるので経済的である。【００２６】  着雪氷防止装置は固定装置であることから、防氷剤散布作業車のように途中の交通渋滞に左右されないで、的確に防氷剤１１１を散布することができる。【００２７】  桁や柱の降雪等は防氷剤１１１が散布されるので、氷柱にならないで電解液の状態で降雨のように流失し安全である。
【図面の簡単な説明】
【００２８】
【図１】防氷剤貯留タンク１１、防氷剤１１１、防氷剤加圧ポンプ１２、制御器１５で構成する加圧防氷剤供給装置１と防氷剤噴霧ノズル２２で構成する防氷剤散布装置２を供給管３１で接続する手動運転着雪氷防止装置で第一考案の構成図である。
【図２】第一考案に防氷剤圧力調整器１３、膨張タンク１４、制御器１５、降雪センサー１５１、放射温度計１５２、防氷剤濃度センサー１５３を付加した加圧防氷剤供給装置１と電磁弁２１、制御器２３を付加した防氷剤散布装置２を供給管等３で接続した自動運転着雪氷防止装置で第二考案の構成図である。
【図３】第二考案の防氷剤散布装置２に車両センサー２３１を付加し、通行移動体を検知した時は加圧防氷剤５を散布しない自動運転の着雪氷防止装置で第三考案の構成図である。
【考案を実施するための形態】
【００２９】  本考案は、汎用部品を組み合わせた加圧防氷剤供給装置１、防氷剤散布装置２、供給管等３で構成する着雪氷防止装置である。
【００３０】  降雪等が路面に降ると広範囲に短時間に氷盤に発達し、滑り抵抗が小さくなるので安全走行が困難になる。降雪等が高所にある桁、柱に付着すると気温の変化により氷柱に発達し落下の危険性が大きくなる。
【００３１】  本考案の着雪氷防止装置は、屋外に設置した路面等の凍結防止と融雪が出来るので、危険な氷盤や氷柱を防止し、降雪等は希薄電解液として流失するので安全である。
【実施例】
【００３２】  以下、添付図に従って実施例を説明する。第一考案は、防氷剤タンク１１、防氷剤１１１、防氷剤加圧ポンプ１２、制御器１５で構成する加圧防氷剤供給装置１と防氷剤噴霧ノズル２２で構成する防氷剤散布装置２を供給管３１を収容した供給管等３で接続した着雪氷防止装置である。【００３３】  防氷剤タンク１１は、防氷剤１１１を貯蔵しているタンク。防氷剤１１１は有機系が望ましい。【００３４】  防氷剤加圧ポンプ１２は、防氷剤１１１を路面等４に噴霧するために防氷剤１１１に圧力を加え供給管３１に供給するポンプ。【００３５】  防氷剤加圧ポンプ１２は人力で起動し、起動すると噴霧ノズル２２から加圧防氷剤５を路面等４に噴霧して着氷を防止する。【００３６】  第二考案は、第一考案に防氷剤圧力調整器１３、膨張タンク１４、降雪センサー１５１、放射温度計１５２、防氷剤濃度センサー１５３、電磁弁２１を付加した着雪氷防止装置を自動運転して着雪氷防止機能を向上させたものである。【００３７】  防氷剤圧力調整器１３は、防氷剤噴霧ノズル２２に一定圧の加圧防氷剤５を供給するためにポンプ１２の吐出圧力を調整する。膨張タンク１４は、加圧防氷剤５を一定圧に貯留し、防氷剤噴霧ノズル２２が開閉すると過度的に加圧防氷剤５の圧力が変動するので、変動の影響を緩和するためのタンク。【００３８】  降雪センサー１５１は、降雪等を感知すると感知信号を制御器１５に送る。放射温度計１５２は路面等の表面温度を制御器１５に送る。防氷剤濃度センサー１５３は、路面等の表面の防氷剤濃度を測定し制御器１５に送る。制御器１５に送られてきた信号は制御器１５でシーケンス制御され、制御器２３に送り電磁弁２１が開き、加圧防氷剤５が路面等４に散布される。【００３９】  第三考案は、第二考案に車両センサー２３１を防氷剤散布装置２に付加し、電磁弁２１を直接制御して加圧防氷剤５が交通車両等に影響しないように散布制御したものである。
【符号の説明】
【００４０】１  加圧防氷剤供給装置
１１  防氷剤貯留タンク
１１１  防氷剤
１２  防氷剤加圧ポンプ
１３  防氷剤圧力調整器
１４  膨張タンク
１５  制御器
１５１  降雪センサー
１５２  放射温度計
１５３  防氷剤濃度センサー
２  防氷剤散布装置
２１  電磁弁
２２  防氷剤噴霧ノズル
２３  制御器
２３１  車両センサー
３  供給管等
３１  供給管
３２  信号線
４  路面等
５  加圧防氷剤
【図１】
0003220499.tif 000003
【図２】
0003220499.tif 000004
【図３】
0003220499.tif 000005
【手続補正書】
【提出日】平成30年9月11日(2018.9.11)
【手続補正１】
【補正対象書類名】実用新案登録請求の範囲
【補正対象項目名】全文
【補正方法】変更
【補正の内容】
【実用新案登録請求の範囲】
【請求項１】
外気に曝されて設置した路面や桁、柱等に降りかかる雪や過冷却雨が当該部材に付着することを防ぐために加圧防氷剤供給装置と１個または複数個の防氷剤散布装置を供給管で接続した構造の着雪氷防止装置。
【請求項２】
降雪や路面の温度および防氷剤濃度を測定して防氷剤を散布する請求項１の加圧防氷剤供給装置。
【請求項３】
車両センサーが通行移動体を検知した時は防氷剤を散布しない請求項１の防氷剤散布装置。
【手続補正書】
【提出日】平成30年12月13日(2018.12.13)
【手続補正１】
【補正対象書類名】実用新案登録請求の範囲
【補正対象項目名】全文
【補正方法】変更
【補正の内容】
【実用新案登録請求の範囲】
【請求項１】
外気に曝されて設置した路面や桁、柱等に降りかかる雪や過冷却雨が当該部材に付着することを防ぐために加圧防氷剤供給装置と１個または複数個の防氷剤散布装置を供給管で接続した構造の着雪氷防止装置。
【請求項２】
降雪や路面の温度および防氷剤濃度を測定して防氷剤を散布するために、降雪や路面の温度および防氷剤濃度を測定可能な降雪センサー、放射温度計、および防氷剤濃度センサーを備えることを特徴とする請求項１の加圧防氷剤供給装置。
【請求項３】
通行移動体を検知した時は防氷剤を散布しないようにするために、通行移動体を検知可能な車両センサーを備えることを特徴とする請求項１の防氷剤散布装置。